(57)【要約】  水溶性石鹸が得られるように少なくとも１種類の天然油を加水分解して合成石鹸乃至天然石鹸と液状有機残渣を分散させ、有機残渣が均一相石鹸組成相になるまで水混和性の溶液中に拡散して得られた石鹸に関する。【特許請求の範囲】
【請求項１】
（ｈ）水溶性石鹸を作り出すための少なくとも１種の天然油を加水分解し、
（ｉ）均一相石鹸組成相ができるまで水混和性溶液中に有機残渣を拡散させることを特徴とする有機残渣から作られた石鹸の製造方法。
【請求項２】
塩基性条件下で加水分解することを特徴とする請求項１に記載の有機残渣から作られた石鹸の製造方法。
【請求項３】
グリセロールを添加混合する工程を更に加えたことを特徴とする請求項１に記載の有機残渣から作られた石鹸の製造方法。
【請求項４】
前記有機残渣が、オリーブオイル、オリーブ製品、オリーブの木の製品、オリーブオイル製造残渣、ワイン製造残渣、果実乃至野菜残渣、缶詰食品残渣、あるいは、これらの混合材料であることを特徴とする請求項１に記載の有機残渣から作られた石鹸の製造方法。
【請求項５】
１種類以上の合成界面活性剤の少なくとも一部を置換して水溶性石鹸を作り出すことを特徴とする請求項１に記載の有機残渣から作られた石鹸の製造方法。
【請求項６】
合成界面活性剤が、スルホン酸塩、ラウリン酸塩、エタノールアミン、あるいは、ラウリン酸のエタノールアミンの混合物、あるいは、前記成分の混合物であることを特徴とする請求項５に記載の有機残渣から作られた石鹸の製造方法。
【請求項７】
合成界面活性剤が陰イオン界面活性剤であることを特徴とする請求項５に記載の有機残渣から作られた石鹸の製造方法。
【請求項８】
保存料を更に混合することを特徴とする請求項１に記載の有機残渣から作られた石鹸の製造方法。
【請求項９】
ホウ酸乃至ホウ酸塩を添加し、前記ホウ酸塩が、ナトリウム、カリウム、マグネシウム、カルシウム、バリウム、マンガン、ホウ酸鉄、あるいは、これらの混合物であることを特徴とする請求項８に記載の有機残渣から作られた石鹸の製造方法。
【請求項１０】
前記保存料が殺生物剤、殺菌剤、防黴剤から選ばれたことを特徴とする請求項８に記載の有機残渣から作られた石鹸の製造方法。
【請求項１１】
前記保存料がエーテル油であることを特徴とする請求項８に記載の有機残渣から作られた石鹸の製造方法。
【請求項１２】
前記エーテル油は、リンネル花、セントジョンズワート油、キンセンカ、アルニカ、セージ、ニセアカシアの種子、カーネーションオイル、カモミール、ペパーミント油、カラマツ、ビャクシン、ローズマリー、ユーカリ油、ラベンダー、モミ針葉油、ベルガモット油、かんきつ油、レモンバーム、マジョラム、タイム、バジル、ウイキョウから選ばれたことを特徴とする請求項８に記載の有機残渣から作られた石鹸の製造方法。
【請求項１３】
前記保存料が、メチルパラベン乃至プロピルパラベンから選ばれたことを特徴とする請求項８に記載の有機残渣から作られた石鹸の製造方法。
【請求項１４】
前記エーテル油を、セージ、ローズマリー、レモン、ベルガモット、ナガバクコ、ミント、マツ、ビャクダン、パチョリ、レモングラス、ペパーミント、グレープフルーツ、オリダニウム、マヌカ、ユーカリ、チョウジ、シナモン、メリッサ、および、これらを組み合わせた果物および野菜から生成したことを特徴とする請求項１０に記載の有機残渣から作られた石鹸の製造方法。
【請求項１５】
香料、安定剤、増粘剤、乳化剤、ビタミン類、遊離基捕捉剤、調整剤、抗酸化物質、親油性植物エキス、親水性植物エキス、あるいは、これらの組み合わせから選ばれた添加剤を混合する工程を加えたことを特徴とする請求項１に記載の有機残渣から作られた石鹸の製造方法。
【請求項１６】
粘度調整のための溶加剤を混合する工程を加えたことを特徴とする請求項１に記載の有機残渣から作られた石鹸の製造方法。
【請求項１７】
炭酸カルシウム、滑石、白雲石、パーレイト、炭酸マグネシウム、あるいは、これらの混合物から選ばれた粘度調整剤を用いたことを特徴とする請求項１６に記載の有機残渣から作られた石鹸の製造方法。
【請求項１８】
水溶性石鹸を、植物性油脂、獣脂、動物性脂肪、肝油などから選ばれた油脂類を水酸化ナトリウムあるいは苛性カリを用いて加水分解して生成したことを特徴とする請求項１及びこれに従属する請求項のいずれかに記載の有機残渣から作られた石鹸の製造方法。
【請求項１９】
エーテル油でバイオマスを分離することなく生成した石鹸を混ぜ合わせる工程を加えたことを特徴とする請求項１８に記載の有機残渣から作られた石鹸の製造方法。
【請求項２０】
水酸化ナトリウムあるいは苛性カリをオレイン酸、トールオイル、ステアリン酸のいずれかあるいは混合物で反応させる工程を加えたことを特徴とする請求項１に記載の有機残渣から作られた石鹸の製造方法。
【請求項２１】
オリーブ石鹸を製造する方法であって、
（ｊ）オリーブを洗浄し、
（ｋ）オリーブをすり潰してペースト状にし、
（ｌ）オリーブオイルの収量を高めるために混合し、
（ｍ）オイルと水を搾りカスから分離し、
（ｎ）ポルフェノールを多量に含んだ水から油分を分離させ、
（ｏ）前記油分を加水分解して水溶性石鹸を作り出し、
（ｐ）水混和性溶液中の前記搾りカス有機残渣を均一相石鹸組成相になるまで溶液中に拡散する
工程よりなることを特徴とする請求項１及びこれに従属する請求項のいずれかに記載の有機残渣から作られた石鹸の製造方法。
【請求項２２】
オリーブがペースト状にすり潰される直前にオリーブから種子部分を取り除いて種子粕のないオリーブオイルを作り出す工程を加えたことを特徴とする請求項２１に記載の有機残渣から作られた石鹸の製造方法。
【請求項２３】
オリーブがペースト状にすり潰される直前にオリーブから種子部分を取り除き、搾りカスに種子粕を混ぜ込む工程を加えたことを特徴とする請求項２１に記載の有機残渣から作られた石鹸の製造方法。
【請求項２４】
オリーブがペースト状にすり潰される直前にオリーブから種子部分を取り除き、得られた石鹸に種子粕を混ぜ込む工程を加えたことを特徴とする請求項２１に記載の有機残渣から作られた石鹸の製造方法。
【請求項２５】
均一相石鹸組成相が得られるまでポリフェノールを多量に含んだ水を石鹸と混ぜ合わせる工程を加えたことを特徴とする請求項２１に記載の有機残渣から作られた石鹸の製造方法。
【請求項２６】
均一相石鹸組成相が得られるまで前記エーテル油と石鹸を混ぜ合わせる工程を加えたことを特徴とする請求項２１に記載の有機残渣から作られた石鹸の製造方法。
【請求項２７】
三相デカンター乃至二相デカンターによって搾りカスから油分と水を分離する工程を加えたことを特徴とする請求項２１に記載の有機残渣から作られた石鹸の製造方法。
【請求項２８】
円盤グラインダーでオリーブをペースト状にすり潰す工程を加えたことを特徴とする請求項２１に記載の有機残渣から作られた石鹸の製造方法。
【請求項２９】
上記工程における少なくとも一部を無酸素環境で行うことを特徴とする請求項２１に記載の有機残渣から作られた石鹸の製造方法。
【請求項３０】
水溶性石鹸が得られるように少なくとも１種類の天然油を加水分解して合成石鹸乃至天然石鹸と液状有機残渣を分散させ、有機残渣が均一相石鹸組成相になるまで水混和性の溶液中に拡散して得たことを特徴とする有機残渣から作られた石鹸。
【請求項３１】
保存料、添加剤、溶加剤等を混合したことを特徴とする請求項３０に記載の有機残渣から作られた石鹸。
【請求項３２】
溶加剤もしくは粘度調整剤が、炭酸カルシウム、滑石、白雲石、パーレイト、炭酸マグネシウム、あるいは、これらの混合物から選ばれたことを特徴とする請求項３０に記載の有機残渣から作られた石鹸。
【請求項３３】
保存料を加えたことを特徴とする請求項３０に記載の有機残渣から作られた石鹸。
【請求項３４】
保存料がホウ酸乃至ホウ酸塩から選ばれたことを特徴とする請求項３３に記載の有機残渣から作られた石鹸。
【請求項３５】
硼酸塩が、ナトリウム、カリウム、マグネシウム、カルシウム、バリウム、マンガン、ホウ酸鉄、あるいは、これらの混合物から選ばれたことを特徴とする請求項３４に記載の有機残渣から作られた石鹸。
【請求項３６】
ホウ酸塩含有成分の濃度が約０．１％〜５．０％の範囲であることを特徴とする請求項３４に記載の有機残渣から作られた石鹸。
【請求項３７】
ホウ酸塩含有成分の濃度が約０．１５％〜０．５％の範囲であることを特徴とする請求項３４に記載の有機残渣から作られた石鹸。
【請求項３８】
殺生物剤、殺菌剤、防黴剤を添加剤として加えたことを特徴とする請求項３３に記載の有機残渣から作られた石鹸。
【請求項３９】
添加剤がエーテル油であることを特徴とする請求項３３に記載の有機残渣から作られた石鹸。
【請求項４０】
前記エーテル油は、リンネル花、セントジョンズワート油、キンセンカ、アルニカ、セージ、ニセアカシアの種子、カーネーションオイル、カモミール、ペパーミント油、カラマツ、ビャクシン、ローズマリー、ユーカリ油、ラベンダー、モミ針葉油、ベルガモット油、かんきつ油、レモンバーム、マジョラム、タイム、バジル、ウイキョウから選ばれたことを特徴とする請求項３９に記載の有機残渣から作られた石鹸。
【請求項４１】
前記保存料が、メチルパラベン乃至プロピルパラベンから選ばれたことを特徴とする請求項３３に記載の有機残渣から作られた石鹸。
【請求項４２】
前記エーテル油を、セージ、ローズマリー、レモン、ベルガモット、ナガバクコ、ミント、マツ、ビャクダン、パチョリ、レモングラス、ペパーミント、グレープフルーツ、オリダニウム、マヌカ、ユーカリ、チョウジ、シナモン、メリッサ、および、これらを組み合わせた果物および野菜から生成したことを特徴とする請求項３９に記載の有機残渣から作られた石鹸。
【請求項４３】
エーテル油の濃度が約０．１％〜５．０％（重量パーセント）であることを特徴とする請求項３９に記載の有機残渣から作られた石鹸。
【請求項４４】
添加剤を加えたことを特徴とする請求項３０に記載の有機残渣から作られた石鹸。
【請求項４５】
天然石鹸乃至グリセロールを添加したことを特徴とする請求項３０に有機残渣から作られた記載の石鹸。
【請求項４６】
有機残渣が搾った油糟であることを特徴とする請求項３０に記載の有機残渣から作られた石鹸。
【請求項４７】
搾った油糟から得たオイルがオリーブオイル、大豆油、アマニ油、ひまわり油、あるいは、これらの混合成分であることを特徴とする請求項４６に記載の有機残渣から作られた石鹸。
【請求項４８】
非水混和性加工製品乃至水混和性加工製品あるいは油糟から得られた複製品を加えたことを特徴とする請求項４６に記載の有機残渣から作られた石鹸。
【請求項４９】
油糟から得られる製品が粉砕種子原料、特に、オリーブの粉砕種子であることを特徴とする請求項４６に記載の有機残渣から作られた石鹸。
【請求項５０】
有機残渣が、搾り汁製品あるいは木汁から得られる有機残渣であることを特徴とする請求項４６に記載の有機残渣から作られた石鹸。
【請求項５１】
種子殻や種子原料を取り除いたことを特徴とする請求項３０に記載の種子粕のないオリーブオイル。
【発明の詳細な説明】
【技術分野】
【０００１】
本発明は、有機残渣から作られた石鹸と、その製造方法に関するものである。
【背景技術】
【０００２】
石鹸は、動物性油脂に木を燃やした灰などの苛性アルカリ溶液を混合して作られていたが、現在の多くの石鹸は、苛性ソーダや苛性カリなどのアルカリで油脂類を高温で処理して得られる脂肪酸のナトリウム塩やカリウム塩の混合物である。
【０００３】
通常、油圧プレス等を使って油分を含む種子を圧搾加工することでオリーブオイルなどの植物油が得られるが、種子の粉砕圧搾カスの塊が濃密な残渣物として残る。この濃縮された塊は多少、家畜の肥料として利用されるが、大半は経費のかからない有用な農業廃棄物である。
【０００４】
米国特許第４４８３７４２号公報（Bridle）には、紙再生や他の産業用洗浄または精練工程に用いられる液状石鹸が開示されている。この液状石鹸は、松根油（テルペン・アルコールと炭化水素の混合物）１に対してトール油や抽出油などの石鹸製造用脂肪酸１〜２０の割合の部分鹸化水性混合物よりなる。この混合物を３０％水酸化ナトリウム溶液で鹸化することが望ましい。この液状石鹸は１０％未満の水分を含んでいる。
【０００５】
米国特許第６３８０１５３号公報（Carlson）には、鹸化を高める加工植物性素材を用いて高い界面活性、機械的清浄性、皮膚軟化特性を兼ね備えた界面活性剤組成物を生成する方法で界面活性剤組成物を製造する方法を開示している。ここでの植物性素材は、鹸化処理中の反応用にトリグリセリドと補助油の作用を有し、改質された特性の鹸化物を生成するようになっている。米国特許第６０２０５０９号公報（Weerasooriya）には、アルコキシル化したトリグリセリドを部分鹸化して界面活性剤組成を生成する方法が開示されており、水酸化ナトリウムなどのアルカリ金属水酸化物よりなり、アルコキシル化モノグリセリドとアルコキシル化未反応モノグリセリドを含む保湿剤と石鹸よりなる界面活性剤組成物を回収する工程が含まれている。よって、前記濃縮された塊または種子の粉砕圧搾カスの「固形物」から作られた石鹸が長く期待されていた。
【発明の開示】
【０００６】
よって、本発明の目的は、有機残渣から石鹸を作り出す新規な方法を提案することにある。この方法は、水溶性石鹸を作り出すべく１以上の天然油を加水分解し、有機残渣が均一相石鹸組成相になるまで水混和性の溶液中に拡散することからなる。好ましくは、保存料、添加剤、溶加剤等を混合するとよい。
【０００７】
本発明の他の目的は、水溶性石鹸が得られるように少なくとも１種類の天然油を加水分解して合成石鹸乃至天然石鹸と液状有機残渣を分散させ、有機残渣が均一相石鹸組成相になるまで水混和性の溶液中に拡散して得られた石鹸を提案することにある。
【０００８】
好ましくは、前記石鹸に保存料、添加剤、溶加剤等を混合するとよい。
【０００９】
特に、本発明は、種子の粉砕圧搾カスや濃縮固形物をリサイクルして天然石鹸あるいは少なくとも部分的に天然の石鹸を作り出すことで環境に優しく経済効果を奏する技術を提案することにある。
【発明を実施するための最良の形態】
【００１０】
本願発明の最良の形態を如何なる人でも実施できるよう本発明について以下に詳細に説明するが、当然ながらここで説明する内容のみに本発明を限定するものではない。有機残渣から石鹸を作り出す方法、および、合成乃至天然石鹸と液状有機残渣を混ぜ合わせて得られる石鹸製品を提案することを本発明の基本原理思想であるので、当業者が考え得る更なる改変技術も本発明の範疇である。
【００１１】
ここでの「石鹸」という表現は、通常の石鹸のみならず、洗剤、界面活性剤、リンス剤および家庭用の各種洗浄剤等を意味し、成形された固形石鹸あるいは粉末またはペレット状の固形石鹸、または、液状（流動性）石鹸を含む。斯かる石鹸とは、シャンプー、ボディーソープ、ハンドソープ、歯磨き等のヒトや動物が衛生用に利用する石鹸形態のみならず、産業用、クリーニング等の商用にも適用できる洗浄剤を包括的に含むものである。
【００１２】
ここでの「有機残渣」とは有機バイオマス、特に、オリーブ、オリーブ種子、オリーブの木、オリーブの葉のエキス、種子などを粉砕圧搾したカス、それらの加工品や副産物を含むそれら残渣物の塊乃至「固形物」を意味する。本発明による方法は、歴史的にはオリーブプレスで覆われた従来の方法の改良であり、オリーブペーストに圧力をかけて固形素材から液状オイルと植物水に分離するオリーブプレス加工が当分野では知られている。オイルと植物水は標準的なデカンテーションで分離する。この方法は今なお広く用いられている方法で、品質の高いオリーブオイルを作り出す最良の方法でもある。先ず、大型の挽き臼でオリーブを挽いてオリーブペースト状にする。概ねオリーブペーストは約３０分挽き臼で挽くが、これには３つの目的があり、つまり、オリーブをよく挽くこと、オリーブオイルの油滴を最大限に引き出すこと、果実酵素によってオイルの香りと風味づけを十分に行うことである。まれにオリーブオイル搾油器は、従来のプレス機を用いながらも最新の粉砕方法を採用しているものもある。オリーブを挽いた後、オリーブペーストは布板上に広げられ、重ね合わされてプレス機に送られる。従来の布板は麻やココナッツ繊維でできていたが、今日では合成繊維が使いやすく、清浄に保つにも適しているので使われている。これらの布板を油圧ピストンに積層状にセットされ、布板に圧力を掛けてオリーブペーストを固形状に圧搾しながら液分（油分および植物水）を濾過する。与える油圧は４００気圧に上る。液分を分離しやすくするために、水分を布板の側方に流して濾過速度を速める。液分を通常の濾過方法か高速の垂直分離器にかけて分離する。布板を使用の都度残ったペーストを適切に洗浄するなどしているなら、従来の搾油方法が高品質のオリーブオイルを生成するには有効である。オリーブペーストが残っていると発酵が進み香気を損ない（所謂、不良）、オリーブオイルの品質を低下させる。同様の問題が挽き臼にも影響を及ぼすことがあり、品質を完全なものにするためには使用後に洗浄が欠かせない。洗浄が困難であり、連続加工ができず、中断した作業中にオリーブペーストが空気や光に曝されて劣化するなど、オリーブの収穫から加工に至るまでには手間と時間を要するなどの従来の欠点を本発明では解消している。
【００１３】
本発明のいくつかの実施態様には、遠心分離により相毎に物質を分離できるデカンター型遠心分離機などの産業用デカンターを用いてオリーブオイルを抽出する方法が含まれる。前記方法では、オリーブを回転圧搾機で粉砕し、きめ細かいペースト状にする。このペーストからのオリーブ液の小滴が集まるまで３０〜４０分間放置し、この間に果実酵素の作用で香りづけが段階的に進行する。その後、成分相を分離させる産業用デカンターにペーストを押し込める。ペーストの抽出加工を容易にするために、適量の水を加える。用いるデカンターは約３０００ｒｐｍで回転する大容量の水平分離器であり、強力な遠心力で異なった密度（固形分＞植物水分＞油分）によって簡単に成分相を分離できる。回転する円錐ドラムを有するデカンターの内部には、数ｒｐｍの低速回転時に固形分を押し出すコイルがあり、３相の成分がそれらの密度によって分離される。分離された油分と植物水分は垂直分離器に送られ、そこで約６０００ｒｐｍの回転で油分中に残った少量の植物水分あるいは植物水分中の油分が分離される。
【００１４】
本発明には各種産業用のデカンターを利用できる。標準的な３相分離デカンターでは、（従来法に比べて）多く水を添加するとオイルポリフェノールの一部が流出し、加工に必要な多量の植物水分は残る。こうした不都合を解消するために２相分離デカンターが開発された。これは、抽出性能を多少犠牲にするが、水の添加を抑えてフェノールの流出を低減できる。オリーブペーストは２相、つまり、オイル分と湿潤な搾りカスに分離される。この種のデカンターは３相（油分、水分、固形分）に分けるのではなく、単に２相に分離するだけである。水分は搾りカスと共にデカンター内のコイルによって掻き出されるが、湿潤な搾りカスはかなり加工しにくい。ヘキサン油エキスの搾りカスを乾燥させる燃料経費は抽出加工を不経済なものにするために搾り油糟エキスの処分が敬遠されがちであった。実際、２相分離デカンターはフェノール洗浄問題を解消するが、その分だけ残渣処理問題が大きくなる。
【００１５】
本発明は最新の加工方法におけるこうした様々な欠点を解消することもできる。つまり、本発明の方法は、費用がかからず、技術的手間も低減でき、エネルギ消費量も少なく、搾りカスを再利用でき、処理すべき植物水分を低減できる等々の利点を有する。
【００１６】
しかして、本発明による有機残渣から石鹸を作り出す新規な方法を説明する。この方法は、水溶性石鹸を作り出すための少なくとも１種の天然油を加水分解し、均一相石鹸組成相ができるまで水混和性溶液中に有機残渣を拡散させることからなる。
【００１７】
本発明の方法において、たとえば、ｐＨ値が約７．５から１２．５の範囲の塩基性条件下で加水分解する。また、本発明の別の実施例の方法として、グリセロールを添加混合してもよい。更に他の実施例として、オリーブオイル、オリーブ製品、オリーブの木の製品、オリーブオイル製造残渣、ワイン製造残渣、果実乃至野菜残渣、缶詰食品残渣、あるいは、これらの混合材料等の有機残渣を利用できる。
【００１８】
更に本発明の他の実施例では、１種類以上の合成界面活性剤の少なくとも一部を置換して水溶性石鹸を作り出す。本発明のその他の実施例では、ドデシルベンゼンスルホン酸塩等のスルホン酸塩あるいはその誘導体、アルキル硫酸塩陰イオン界面活性剤、ラウリン酸ナトリウムやラウリル硫酸ナトリウムなどのラウリン酸塩、エタノールアミンラウリル硫酸などのエタノールアミン類、ポリエタノールミド、ラウリン酸のエタノールアミン混合物、あるいは、これらの混合物から選ばれた合成界面活性剤を用いることができる。
【００１９】
上記合成界面活性剤としては、アルキル・ベンゼン・スルホン酸塩などの陰イオン界面活性剤、あるいは、カリウム、ナトリウム、アンモニウム、水素などからなるスルホン酸塩、ドデシルベンゼンスルホン酸ナトリウムおよびトリデシルベンゼンスルホン酸ナトリウムなどがあり、市販されている界面活性剤「Ａｒｄｅｔ」ＡＢ-４０（ドデシルスルホン酸ナトリウム）、「Ｃｏｎｃｏ」ＡＡＳ−５０Ｓ（ドデシルベンゼンスルホン酸アンモニウム）、「Ｃｏｎｃｏ」ＡＴＲ−９８Ｓ（水素トリデシルベンゼンスルホン酸）、「Ｍｅｍｋａｌ」ＮＯＢＳ（ノニルベンゼンスルホン酸ナトリウム）、「Ｓｏｌｅ−Ｆｏｎａｔｅ」１０２（ドデシルベンゼンスルホン酸カルシウム）等々が挙げることができる。他の陰イオン界面活性剤は、有機リン酸化合物やアルキルスルホコハク酸、たとえば、ジオクチル・スルホコハク酸ナトリウム、ジ（第３級）ノニルスルホコハク酸ナトリウム等からなる。アルキルスルホン酸の例としては、オクチルおよびノニルエステル型がある。別の陰イオン界面活性剤としては、二級アルキル硫酸塩型、硫酸モノグリセリド、イセチオン酸、アシルサルコシン、および、これらの誘導体がある。両性界面活性剤も潜在的に本発明に使用可能であり、ココヤシのアルキルアミドベタイン、アシル化ペプチド、アシルアミノ酸などを挙げることができる。アルキル硫酸塩陰イオン界面活性剤としては、ラウリル、ミリスチルアルコール、および、その誘導体、たとえば、アルキルポリエチレングリコール硫酸塩（アルキルエーテル硫酸塩）やラウリル基ポリエチレングリコール硫酸塩などが好ましい。
【００２０】
本発明の一実施例で選ばれるエタノールアミンとしては、モノエタノールアミン（ＭＥＡ）、ジエタノールアミン（ＤＥＡ）、トリエタノールアミン（ＴＥＡ）がある。本発明の他の実施例における合成界面活性剤としては、特に、ラウリル、ミリスチルアルコールから誘導される陰イオン界面活性剤を挙げることができる。
【００２１】
本発明のその他の実施例として、保存料を添加してもよい。他の添加剤としては、殺生物剤、殺菌剤、防黴剤のみに限定するものではない。
【００２２】
本発明の他の実施例として、ホウ酸乃至ホウ酸塩を添加することができ、硼酸塩としては、ナトリウム、カリウム、マグネシウム、カルシウム、バリウム、マンガン、ホウ酸鉄、あるいは、これらの混合物を挙げることができる。
【００２３】
本発明の他の実施例として、エーテル油からなる保存料を添加できる。エーテル油は、リンネル花（ケルセチンとファルネソールを含むエーテル油）、セントジョンズワート油（たとえば、オリーブオイル抽出物）、キンセンカ、アルニカ（たとえば、エーテル油を含む花の抽出油分）、フラボノイドレモンバームを含むイオン化抽出物（たとえば、フラボンとエーテル油）、セージ（たとえば、ティモールを含むエーテル油）、ニセアカシアの種子（トランス-アネトールを含むエーテル油）、カーネーションオイル（ユージノールを含むエーテル油）、カモミール（カメズーレン、αビサボロール、マートル、リモナイト、αピネン、シネオール）、ペパーミント油（たとえば、メントールを含むオイル）、キャラウェーの種（たとえば、カルボンを含むオイル）、カラマツ（たとえば、αピネンを含むオイル）、ビャクシン、ローズマリー、ユーカリ油、ラベンダー、モミ針葉油、ベルガモット油、かんきつ油、レモンバーム、マジョラム、タイム、バジル（ストマチカ、または、ハーブ）、ウイキョウなどの野菜や果実を含む植物から抽出するとよい。
【００２４】
本発明によるその他の実施例では、メチルパラベン乃至プロピルパラベンから生成した保存料を用いている。
【００２５】
更に詳しくは、前記エーテル油は、セージ、ローズマリー、レモン、ベルガモット、ナガバクコ、ミント、マツ、ビャクダン、パチョリ、レモングラス、ペパーミント、グレープフルーツ、オリダニウム、マヌカ、ユーカリ、チョウジ、シナモン、メリッサ、および、これらを組み合わせた果物および野菜から生成できる。
【００２６】
本発明によるその他の実施例における方法に、添加剤を混合する工程を加えることができる。斯かる添加剤としては、香料、安定剤、増粘剤、乳化剤、ビタミン類、遊離基捕捉剤、調整剤、抗酸化物質、親油性植物エキス、親水性植物エキス、あるいは、これらの組み合わせ成分を挙げることができるが、これらのみに限定するものではない。
【００２７】
本発明によるその他の実施例における方法に、粘度調整のための溶加剤を混合する工程を加えることができる。
【００２８】
溶加剤もしくは粘度調整剤としては、炭酸カルシウム、滑石、白雲石、パーレイト、炭酸マグネシウム、あるいは、これらの混合物から選ぶとよい。
【００２９】
本発明によるその他の実施例では、水溶性石鹸を、植物性油脂、獣脂、動物性脂肪、肝油などから選ばれた油脂類を水酸化ナトリウムあるいは苛性カリを用いて加水分解して生成する。斯かる方法に、エーテル油でバイオマスを分離することなく生成した石鹸を混ぜ合わせる工程を加えることができる。
【００３０】
植物油は、免疫刺激剤、たとえば、エキナセアパープレア（アルコールエキス、天然植物ジュース、搾り汁）；エルセリオココス・ゲンチコス；アルカロイド；ジャボク（たとえば、プラジマリン）；常緑葉（たとえば、ビンカミン）；アロエ、セイヨウトチノキ（夏緑樹）、ニンニク（たとえば、ニンニク油）、パイナップル（たとえば、ブロメライン）などの植物薬、朝鮮人参根（たとえば、ジンセノサイド）、マリアアザミ実（たとえば、シリマリンで標準化されたエキス）、イバラ科の根（たとえば、ラスコジナイン）、かのこそう（たとえば、バレポトリエート、チンクチャ・バレライナ・ナイ）、カバカバ（たとえば、カバラクトン）、ホップ花（たとえば、ホップビター）、フィージーミバエ抽出物、リンドウ（たとえば、エタノール抽出液）、薬物エキスを含むアントラキノン（たとえば、アロエジュースを含むアロイン）、花粉エキス、アルギンエキス、甘草エキス、パームエキス、ガルフィミア（たとえば、プロトティンクチャ）、ヤドリギ（たとえば、水性エタノールエキス）、フィトステロール（たとえば、βシトステリン）、バーベスコム（水性アルコールエキス）、ドロセリア（ワインエキス）、サンドソーンフルーツ（たとえば、果実ジュース）、ウスベニタチアオイ根エキス、サクラソウ根エキス、あるいは、メロー、ヒレハリソウ、セイヨウキヅタ、スギナ、ヤップィ、ヘラオオバコ（たとえば、圧搾ジュース）、イラクサ、クサノオウ、パセリなどの生植物エキスなどの成分を免疫刺激剤として添加できる。
【００３１】
代替工程もしくは追加工程として、上記方法に、水酸化ナトリウムあるいは苛性カリをオレイン酸、トールオイル、ステアリン酸のいずれかあるいは混合物で反応させる工程を含めてもよい。
【００３２】
本発明のその他の実施例で新規で低廉な石鹸を製造する方法を提案しており、合成石鹸乃至天然石鹸と液状有機残渣を分散させて斯かる石鹸を作り出す。
【００３３】
本発明のその他の実施例において、石鹸に溶加剤を添加している。溶加剤もしくは粘度調整剤としては、炭酸カルシウム、滑石、白雲石、パーレイト、炭酸マグネシウム、あるいは、これらの混合物から選ぶとよい。
【００３４】
本発明のその他の実施例において、石鹸に保存料を添加している。
【００３５】
更に本発明のその他の実施例において、保存料はホウ酸乃至ホウ酸塩よりなる。硼酸塩としては、ナトリウム、カリウム、マグネシウム、カルシウム、バリウム、マンガン、ホウ酸鉄、あるいは、これらの混合物を用いる。ホウ酸塩含有成分の濃度は約０．１％〜５．０％の範囲で決めることができ、好ましくは、約０．１５％〜０．５％（重量パーセント）の範囲である。
【００３６】
本発明のその他の実施例において、殺生物剤、殺菌剤、防黴剤を添加剤として加えている。エーテル油を添加剤としてもよい。エーテル油は、リンネル花（ケルセチンとファルネソールを含むエーテル油）、セントジョンズワート油（たとえば、オリーブオイル抽出物）、キンセンカ、アルニカ（たとえば、エーテル油を含む花の抽出油分）、フラボノイドレモンバームを含むイオン化抽出物（たとえば、フラボンとエーテル油）、セージ（たとえば、ティモールを含むエーテル油）、ニセアカシアの種子（トランス-アネトールを含むエーテル油）、カーネーションオイル（ユージノールを含むエーテル油）、カモミール（カメズーレン、αビサボロール、マートル、リモナイト、αピネン、シネオール）、ペパーミント油（たとえば、メントールを含むオイル）、キャラウェーの種（たとえば、カルボンを含むオイル）、カラマツ（たとえば、αピネンを含むオイル）、ビャクシン、ローズマリー、ユーカリ油、ラベンダー、モミ針葉油、ベルガモット油、かんきつ油、レモンバーム、マジョラム、タイム、バジル（ストマチカ、または、ハーブ）、ウイキョウなどの野菜や果実を含む植物から抽出するとよい。
【００３７】
本発明によるその他の実施例において、メチルパラベン乃至プロピルパラベンから生成した保存料を用いてもよい。
【００３８】
本発明の範疇において、セージ、ローズマリー、レモン、ベルガモット、ナガバクコ、ミント、マツ、ビャクダン、パチョリ、レモングラス、ペパーミント、グレープフルーツ、オリダニウム、マヌカ、ユーカリ、チョウジ、シナモン、メリッサ、および、これらを組み合わせた果物および野菜から生成したエーテル油をもちいてもよい。エーテル油の濃度は約０．１％〜５．０％（重量パーセント）が好ましい。
【００３９】
更に本発明の他の実施例において、上記した石鹸に添加剤を加えてもよく、また、天然石鹸乃至グリセロールを添加してもよい。
【００４０】
更に本発明の他の実施例において、有機残渣が搾った油糟である。搾った油糟から得たオイルがオリーブオイル、大豆油、アマニ油、ひまわり油、あるいは、これらの混合成分である。
【００４１】
更に好ましくは、石鹸に、非水混和性加工製品乃至水混和性加工製品あるいは油糟から得られた複製品を加えてもよい。本発明のその他の実施例において、油糟から得られる製品が粉砕種子原料、特に、オリーブの粉砕種子が好ましい。よって、有機残渣は、搾り汁製品あるいは木汁から得られる有機残渣であってもよい。
【００４２】
更に本発明の他の実施例において、上述したオリーブ石鹸を製造する方法が以下の工程よりなる：
【００４３】
（ａ） オリーブを濯ぐなどの手法でオリーブを洗浄し、
（ｂ） オリーブをすり潰したり粉砕してペースト状にし、
（ｃ） オリーブオイルの収量を高めるために混合し、
（ｄ） オイルと水を搾りカスから分離乃至濾過し、
（ｅ） ポルフェノールを多量に含んだ水から油分を分離させ、必要に応じて再使用し、
（ｆ） 前記油分を加水分解して水溶性石鹸を作り出し、
（ｇ） 水混和性溶液中の前記搾りカス有機残渣を均一相石鹸組成相になるまで溶液中に拡散する。
【００４４】
更に本発明の他の実施例における方法において、オリーブがペースト状にすり潰される直前にオリーブから種子部分を取り除いて種子粕のないオリーブオイルを作り出す１以上の工程を加えてもよい。種子粕のないオリーブオイルとは、種子殻や種子原料を取り除いたオリーブオイルである。更に本発明の他の実施例における方法において、オリーブがペースト状にすり潰される直前にオリーブから種子部分を取り除き、搾りカスに種子粕を混ぜ込む１以上の工程を加えてもよい。更に本発明の他の実施例における方法において、オリーブがペースト状にすり潰される直前にオリーブから種子部分を取り除き、得られた石鹸に種子粕を混ぜ込む１以上の工程を加えてもよい。更に本発明の他の実施例における方法において、均一相石鹸組成相が得られるまでポリフェノールを多量に含んだ水を石鹸と混ぜ合わせる１以上の工程を加えてもよい。
【００４５】
本発明の他の実施例における方法において、均一相石鹸組成相が得られるまで前記エーテル油と石鹸を混ぜ合わせる１以上の工程を加えてもよい。
【００４６】
本発明の他の実施例における方法において、三相デカンター乃至二相デカンターによって搾りカスから油分と水を分離する１以上の工程を加えてもよい。
【００４７】
本発明の他の実施例において、円盤グラインダーでオリーブをペースト状にすり潰してもよい。
【００４８】
本発明の他の実施例における方法において、上記工程における少なくとも一部を無酸素環境で行ってもよい。
【００４９】
本発明の他の実施例において、種子粕のないオリーブオイルを提供する。このオイルは種子殻や種子原料を取り除いたオリーブオイルである。
【００５０】
本発明を理解できるようにするために、いくつかの実施例を添付の図面を参照して説明するが、これらの実施例のみに限定するものではない。本発明を実際に実施した態様について説明すると、先ず、グリセロール（１５ｇ）を７５℃でステアリン（１５０ｇ）と混合し、ステアリンが溶解するまで続けた。更に、ＥＴＡ（４０ｇ）をホモゲナイザで混合し、Ｎａ２Ｂ４Ｏ７の水溶液（５０ｇ；０．３％）を水酸化ナトリウムと混合した。次に、グリセリン-ステアリン溶液をＥ−７０で均質化し、オリーブ種子の圧搾製品（２００ｇ）を更に松根油と丁子油の適量混合物と混合した。その結果、冷却した後、良質な粘着性の石鹸が得られた。更に、水溶性石鹸が得られるように、少なくとも１種類の天然油を加水分解し、有機残渣が均一相石鹸組成相になるまで水混和性の溶液中に拡散させて石鹸を製作した。この石鹸には、水が１５０ｇ、ＮａＯＨが３．５ｇ、０．２％ホウ砂が０．３ｇ、ステアリンが２０ｇ、ＥＴＡ−７０が２０ｇ、グリシンが６０ｇ、粉砕圧搾オリーブ種子殻の濃密な残渣固形物が２５０ｇ、ナガバクコ油が１．２５ｇ、レモングラスが１．２５ｇ、炭酸マグネシウム１１０ｇが含まれていた。
【００５１】
本発明の製造方法によるもう一つ別の石鹸は、水が１５０ｇ、ＮａＯＨが３．５ｇ、ラウリン酸塩が２ｇ、０．２％ホウ砂が０．３ｇ、ステアリンが２０ｇ、ＥＴＡ−７０が１８ｇ、グリシンが６０ｇ、粉砕圧搾オリーブ種子殻の濃密な残渣固形物が２９０ｇ、ナガバクコ油が１．４５ｇ、桂皮油が１．４５ｇ、パーライト９０ｇが含まれていた。
【００５２】
本発明の方法によって製造した液状石鹸には、水１５ｇ、オリーブオイル１５ｇ、ココナッツ油５ｇ、ラウリン酸塩５ｇ、苛性カリ５．４５ｇ、松根油２ｇ、オレンジ油３ｇ、大豆油５０ｇ、白雲石４０ｇが含まれていた。
【００５３】
本発明の方法によって製造した別の石鹸には、水３００ｇ、ＮａＯＨが７．１ｇ、ラウリン酸塩３８ｇ、０．２％ホウ砂０．３ｇ、グリセリン６０ｇ、ステアリン酸３８ｇ、ＥＴＡ−７０が１８ｇ、グリシン６０ｇ、粉砕圧搾オリーブ種子殻の濃密な残渣固形物が４４０ｇ、松根油８．８ｇ、丁子油２．６８ｇ、滑石８０ｇが含まれていた。
【００５４】
本発明の方法によって製造した更に別の石鹸には、水１５０ｇ、ＮａＯＨが３．５ｇ、ラウリン酸塩３８ｇ、０．２％ホウ砂３ｇ、ステアリン２０ｇ、ＥＴＡ−７０が２０ｇ、グリシン６０ｇ、粉砕圧搾オリーブ種子殻の濃密な残渣固形物が２５０ｇ、レモングラス１．２５ｇ、パーライト５０ｇが含まれていた。
【００５５】
本発明の方法によって製造したもう一つ別の石鹸には、水１５０ｇ、ＮａＯＨが３．５ｇ〜３．７ｇ、ラウリン酸塩２〜２．５ｇ、０．２％ホウ砂０．３ｇ、ステアリン１９〜２５ｇ、ＥＴＡ−７０が１９〜２５ｇ、グリシン２５０〜５００ｇ、粉砕圧搾オリーブ種子殻の濃密な残渣固形物が２５０ｇ、ティーツリー油１．２５〜２．５ｇ、レモングラス１．２５〜２．５ｇ、炭酸カルシウム３０ｇが含まれていた。
【国際調査報告】
2008533271.tif 000002
2008533271.tif 000003